【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  容器のための蓋であって、
前記容器を覆って広がるように適合されるカバー部であって、使用時に前記容器に係合して前記容器に取り付けるために、該カバー部の周縁の周りに連続的に延びる周縁スカートを有する、前記カバー部と、
容器から中身を取り出しやすくするために、容器の中身を消費するように適合された用具と、
前記用具を前記周縁スカートに接続しているヒンジであって、前記用具が、該用具が前記カバー部の一部に寄りかかるかあるいはそのすぐ近傍にある貯蔵位置と、前記蓋あるいは前記カバー部の外側へ延びて容器から中身を取り出すためにその用具を用いることができるようになる使用位置との間で、前記ヒンジの回りに回転することを許容する前記ヒンジと、を備え、
前記周縁スカートは上部及び下部を備え、前記ヒンジは前記周縁スカートの下部に接続され、前記周縁スカートの下部は前記ヒンジが接続されている領域にはギャップやスペースを有しておらず、
前記ヒンジは、少なくとも１つのこわれやすいつまみをさらに有し、そのこわれやすいつまみを分離することで前記周縁スカートの下部からその用具を取り外すように構成されていることを特徴とする容器のための蓋。
【請求項２】  前記用具は、その拡張位置とその貯蔵位置との間で約１８０度の角度、回転することができることを特徴とする請求項１記載の蓋。
【請求項３】  前記こわれやすいつまみが、その拡張位置から前記貯蔵位置へのヒンジの通常の動きとは反対あるいは逆の方向へ、前記用具を前記ヒンジの回りに動かすことで分離されることを特徴とする請求項１又は２に記載の蓋。
【請求項４】  前記用具は、該用具を前記貯蔵位置から広げるのを容易にするために把持することを可能にする把手手段を備えていることを特徴とする請求項１〜３に記載の蓋。
【請求項５】  前記カバー部、前記用具および前記ヒンジが、互いに一体に形成されていることを特徴とする請求項１〜４のいずれかに記載の蓋。
【請求項６】  前記カバー部が、前記用具をその貯蔵位置に保持する保持手段をさらに備えていることを特徴とする請求項１〜５のいずれかに記載の蓋。
【請求項７】  前記保持手段が、クリップかあるいは、離れて配された一対のバー、突条、リブ、ボス、突出部の少なくとも一つであることを特徴とする請求項６記載の蓋。
【請求項８】  前記用具における１つ以上の側縁の少なくとも一つが、前記貯蔵位置に前記用具を保持するために、前記カバーの一部に設けられた前記保持手段と協働して係合することを特徴とする請求項６または７に記載の蓋。
【請求項９】  前記カバー部は、前記用具が前記貯蔵位置にあるときに該用具の少なくとも一部を収容するための凹所を有することを特徴とする請求項１〜８のいずれかに記載の蓋。
【請求項１０】  前記凹所が、使用時の前記蓋の内面に配設されているとともに、前記用具が前記貯蔵位置にあるときに該用具の実質的部分を収容するために、該用具の形状に相補的であるかあるいは対応する形状からなっていることを特徴とする請求項９に記載の蓋。
【請求項１１】  前記用具は、該用具を把持するための把手部と、前記容器の中身と接触するための接触部とを備え
前記用具が前記貯蔵位置にあるときに、該用具における把手部の少なくとも一部と、該用具における前記中身接触部の一部とが、前記カバー部に形成された前記凹所に収容されていることを特徴とする請求項１０に記載の蓋。
【請求項１２】  前記用具の縁が、前記凹所の側壁に協働して係合することで、該用具が前記凹所に保持されることを特徴とする請求項９〜１１のいずれかに記載の蓋。
【請求項１３】  前記カバー部は、前記凹所の少なくとも一部で画定される補強用リブを備えていることを特徴とする請求項９〜１２のいずれかに記載の蓋。
【請求項１４】  前記周縁スカートの下部は、前記蓋を前記容器に固定するために前記容器の前記上部周縁リムの下側に係合するのに適合するリップを有していることを特徴とする請求項１〜１３のいずれかに記載の蓋。
【請求項１５】  前記凹所はさらに、前記カバー部又は容器に取り付けられた密封用シート又は膜によって画定されていることを特徴とする請求項１４に記載の蓋。
【請求項１６】  前記カバー部が、少なくとも１つの平坦なパネルを有していることを特徴とする請求項１〜１５のいずれかに記載の蓋。
【請求項１７】  前記カバー部が、該カバー部に形成されて互いに同一平面に配置される複数の平坦なパネルを有していることを特徴とする請求項１６に記載の蓋。
【請求項１８】  前記蓋は、前記容器、前記蓋、前記カバー部、あるいは前記容器の中身への承認されないアクセスを標示するための、いたずら対抗装置、いたずら顕示装置、あるいは、いたずらしにくい構成あるいはいたずら防止の構成の少なくとも一つを備えたインジケーターを備えていることを特徴とする請求項１〜１７のいずれかに記載の蓋。
【請求項１９】  前記インジケーターは、前記蓋の前記周縁スカートの一部として含まれ、前記蓋の前記周縁スカートの周囲に少なくとも部分的に配置されていることを特徴とする請求項１８に記載の蓋。
【請求項２０】  前記インジケーターが、前記容器の上部周縁リムの少なくとも一部に係合するように適合された周縁スカートの下部を備えていることを特徴とする請求項１８又は１９に記載の蓋。
【請求項２１】  前記周縁スカートが、前記カバー部と一体に形成されていることを特徴とする請求項２０に記載の蓋。
【請求項２２】  前記周縁スカートの下部が、前記蓋を前記容器に取り付けやすくするように、前記容器の上部周縁リムの下側に係合するように適合されたリップを備えていることを特徴とする請求項２０または２１に記載の蓋。
【請求項２３】  前記周縁スカートの一部が、前記容器の中身へアクセスしやすくするために、および前記蓋を容器から取り外すために、前記周縁スカートの長さ部分の少なくとも一部に沿って該周縁スカートを前記カバー部から分離することができるように、前記蓋には、前記周縁スカートの下部にこわれやすい領域が形成されていることを特徴とする請求項２０〜２２のいずれかに記載の蓋。
【請求項２４】  前記こわれやすい領域は、前記周縁スカートの残った部分を前記カバー部から完全に分離することなく前記こわれやすい領域で前記周縁スカートの一部を前記カバー部から分離することで、前記蓋を前記容器から取り外すことができるように、前記カバー部と前記周縁スカートの一部との間のつなぎ目の一部に沿って延びていることを特徴とする請求項２３に記載の蓋。
【請求項２５】  前記こわれやすい領域は、前記カバー部および前記周縁スカートで一体に形成された溝を有することを特徴とする請求項２３または２４に記載の蓋。
【請求項２６】  前記こわれやすい領域は、複数の長孔の間で画定される複数のこわれやすいつまみを備えることを特徴とする請求項２３〜２５のいずれかに記載の蓋。
【請求項２７】  前記周縁スカートは、つかんで引き、該周縁スカートを前記こわれやすい領域で前記カバー部から分離し、それによって、前記容器への承認されないアクセスを標示するように適合されたつまみをさらに含んでいることを特徴とする請求項２４〜２６のいずれかに記載の蓋。
【請求項２８】  前記こわれやすい領域は、前記周縁スカートが前記カバー部から分離されるときに前記ヒンジの周りの区域が離れずに残ることにより、前記カバー部に一体に接続された前記用具を維持するよう、前記ヒンジから間隔をあけて離れた関係にあることを特徴とする請求項２３〜２７のいずれかに記載の蓋。
【請求項２９】  前記カバー部および前記用具が、成形された可撓性プラスチック材料から構成されていることを特徴とする請求項１〜２８のいずれかに記載の蓋。
【請求項３０】  前記プラスチック材料は実質的に透明であることを特徴とする請求項２９に記載の蓋。
【請求項３１】  前記用具が、頭部と柄部とを有し、該柄部が、前記周縁スカートの下部にヒンジ状に接続されていることを特徴とする請求項１〜３０のいずれかに記載の蓋。
【請求項３２】  前記用具は、該用具のいずれか一方の側に配設された折り曲げ可能な一対のアームを備え、前記アームは、該アームの各近位端が柄部分の一方の側に接続され、前記アームの各遠位端が用具の頭部の領域で互いに接続されるように構成されたことを特徴とする請求項２８に記載の蓋。
【請求項３３】  前記アームの近位部のそれぞれが、それぞれの折り曲げ線によって柄部に接続され、該アームの遠位部のそれぞれが、１つの折り曲げ線に沿って互いに接続されていることを特徴とする請求項３２に記載の蓋。
【請求項３４】  前記用具を取り囲んでいる２つのアームは、その２つのアームが互いにしっかりと固定されている把手構成を形成するために、該用具の面の外へ折り曲げることができることを特徴とする請求項３２または３３に記載の蓋。
【請求項３５】  前記用具の頭部は、その頭部が並んで固定された関係にある一対のアームに対して角度的に傾斜しているように、該用具の柄部に関して折り曲げることができるとともにそこに固定することができるものであることを特徴とする請求項３２〜３４のいずれかに記載の蓋。
【請求項３６】  前記用具の長さ部分は、前記容器からその中身を取り出しやすくするために、容器の大きさを越えて延びていることを特徴とする請求項１〜３５のいずれかに記載の蓋。
【請求項３７】  請求項１〜３６のいずれかに記載された蓋と、容器とを備えたことを特徴とする蓋付き容器。
【請求項３８】  前記蓋は、第２容器の下面を積み重ね関係で受けるのに適した係合手段をその上面にさらに備えており、
前記蓋が前記容器に取り付けられたとき、積み重ねられあるいは嵌め込まれた容器の列が形成されるように、前記係合手段に受け入れられている前記容器の下面によって複数の蓋付き容器が積み重ね可能であることを特徴とする請求項３７に記載の蓋付き容器。
【請求項３９】  前記容器の上部周縁リムに接着する密封膜をさらに備え、該密封膜はさらに前記空洞を画定していることを特徴とする請求項３７に記載の蓋付き容器。
【請求項４０】 容器の蓋の製造方法であって、該方法は、
前記容器を覆って広がるように適合されるカバー部であって、使用時に前記容器に係合して前記容器に取り付けられるため、その周縁に連続的に延びる上部及び下部を有する周縁スカートを備えた前記カバー部と、前記容器から中身を取り出しやすくするために、前記容器の中身を消費するように適合された用具と、前記周縁スカートに前記用具を接続するヒンジと、を備えた蓋を製造するステップと、
前記用具が前記カバー部の一部に寄りかかるかあるいはそのすぐ近傍にある貯蔵位置と拡張位置との間の移動を可能にするヒンジであって、前記用具の一端と前記周縁スカートとの間にこわれやすいヒンジを提供するステップと、
を備え、
前記周縁スカートは、該周縁スカート及びカバー部の間のつなぎ目近傍の上部と下部とを備え、前記ヒンジは前記周縁スカートの下部に接続されており、前記周縁スカートの下部は前記ヒンジが接続された領域には切れ目やスペースを有しておらず、
前記ヒンジは、少なくとも一つのこわれやすいつまみをさらに備え、該こわれやすいつまみを切断することで前記周縁スカートの下部から前記用具を取り外すように構成されていることを特徴とする前記方法。
【請求項４１】 前記容器と前記カバー部との間に空隙を画定する密封膜を前記容器の上部周縁リムに接着させる工程をさらに含むことを特徴とする請求項４０に記載の方法。